(57)【要約】【課題】蓋が開くだけでガスが噴出してしまうため、無駄にガスを消費してしまうと共に、一度点火した炎は蓋を閉じるまで消えない。【解決手段】ライター本体１の側面に、ガステコ操作レバー１０を装着せしめる。ガステコ操作レバー１０は、ガステコ操作手段１２を介して蓋体２の開閉と連動するように組み付ける。ガステコ操作手段１２は、蓋体２の開蓋操作に応じて回動すべく付勢されたキャップダンパー１２ａと、該キャップダンパー１２ａの回動に応じてエレベータ部１２ｂを昇降せしめるエレベータリンク１２ｃと、前記エレベータ部１２ｂに組み付けられたプランジャー１２ｄとを備える。プランジャー１２ｄは、前記エレベータ部１２ｂが上昇する際、一端側がガステコ操作レバー１０の内側に当接して同ガステコ操作レバー１０をライター本体１の表面から強制的に突出せしめるものであり、他端側はガス噴出ノズル５ｃの頸部を持ち上げるべくガステコ５ｄを押込操作せしめる押圧部材１２ｅを備える。【選択図】図８
0003126335.tif 000002
【実用新案登録請求の範囲】
【請求項１】
ライター本体に開閉自在に組み付けられた蓋体を備えてなるガスライターにおいて、前記蓋体の開蓋操作に連動してライター本体の表面に操作可能状態に突出し、同蓋体の閉蓋操作に連動してライター本体内に操作不能状態に収納されるガステコ操作手段を備えてなることを特徴とするガスライター。
【請求項２】
前記ガステコ操作手段は、蓋体の開蓋操作に応じて回動するキャップダンパーと、該キャップダンパーの回動に応じてエレベータ部を昇降せしめるエレベータリンクと、前記エレベータ部に組み付らけれたプランジャーと、該プランジャーに当接されてライター本体の表面に突出するガステコ操作レバーとを備えてなることを特徴とする請求項１に記載のガスライター。
【請求項３】
前記プランジャーは、前記エレベータ部が上昇する際、一端側がガステコ操作レバーに当接して同ガステコ操作レバーをライター本体の表面から強制的に突出せしめると共に、他端側がガス噴出ノズルの頸部に係合されたガステコの押込操作可能位置にまで変位されることを特徴とする請求項１に記載のガスライター。
【請求項４】
前記ガステコ操作レバーは、一端側を支点として他端側がライター本体の外へ突出するように開閉自在に軸着されると共に、ライター本体と面一に整合すべく常時、閉方向に付勢されていることを特徴とする請求項２に記載のガスライター。
【考案の詳細な説明】
【技術分野】
【０００１】
本考案は、蓋付きのフリント式ライターに内燃機構を組み入れたフリントジェットライターに関し、更に詳しくは、開蓋することにより初めてライター本体の表面に突出するガステコ操作レバーを備えて、無駄なガスの消費を防ぐことができる有用なガスライターに関する。
【背景技術】
【０００２】
従来、蓋付きのガスライターとしては、例えば、蓋を開くことに連動してガスが噴出し、発火石に接したヤスリ車を回転させて着火せしめるフリント式のガスライターや、圧電素子の押込操作を行うことにより安定的に着火することができるピエゾライターなどがある(特許文献１参照)。
【特許文献１】特開平０９−１１２９０３号公報
【考案の開示】
【考案が解決しようとする課題】
【０００３】
しかしながら、上述した従来の蓋付きガスライターにあっては、蓋が開くだけでガスが噴出してしまうため、無駄にガスを消費してしまうといった問題があり、また、一度点火した炎は蓋を閉じるまで消えないことも相俟って、特に、子供や適切な使い方を熟知していない人が、不用意に点火することは安全上好ましくなく、延いては、子供達が不用意に点火することができないように、安全性をも考慮したガスライターが要望されている。
【０００４】
本考案はこのような従来の問題点及び要望に鑑みてなされたもので、蓋を開けただけではガスが噴出しないように工夫して無駄なガスの消費を防止できると共に、チャイルドレジスタントとしての安全性及び操作性にも優れたガスライターを提供することを目的としたものである。
【課題を解決するための手段】
【０００５】
上述の如き従来の問題点を解決し、所期の目的を達成するため本考案の要旨とする構成は、ライター本体に開閉自在に組み付けられた蓋体を備えてなるガスライターにおいて、前記蓋体の開蓋操作に連動してライター本体の表面に操作可能状態に突出し、同蓋体の閉蓋操作に連動してライター本体内に操作不能状態に収納されるガステコ操作手段を備えてなるガスライターに存する。
【０００６】
また、前記ガステコ操作手段は、蓋体の開蓋操作に応じて回動するキャップダンパーと、該キャップダンパーの回動に応じてエレベータ部を昇降せしめるエレベータリンクと、前記エレベータ部に組み付けられたプランジャーと、該プランジャーとの当接でライター本体の表面に突出するガステコ操作レバーとを備えるのが良い。
【０００７】
更に、前記プランジャーは、前記エレベータ部が上昇する際、一端側がガステコ操作レバーに当接して同ガステコ操作レバーをライター本体の表面から強制的に突出せしめると共に、他端側がガス噴出ノズルの頸部に係合されたガステコの押込操作可能位置にまで変位されるのが良い。
【０００８】
また、前記ガステコ操作レバーは、一端側を支点として他端側がライター本体の外へ突出するように開閉自在に軸着されると共に、ライター本体と面一に整合すべく常時、閉方向に付勢せしめるのが良い。
【考案の効果】
【０００９】
本考案は上述のように構成され、前記蓋体の開蓋操作に連動してライター本体の表面に操作可能状態に突出し、同蓋体の閉蓋操作に連動してライター本体内に操作不能状態に収納されるガステコ操作手段を備えたことによって、開蓋しただけでのワンアクションだけではガスは噴出せず、換言すれば、開蓋した状態でもガステコ操作手段を押込操作しない限り、ガス噴出ノズルからガスは噴出しないため、従来の如き開蓋操作に起因する無駄なガスの消費を防止することができるといった効果を奏する。
【００１０】
また、前記ガステコ操作手段は、蓋体の開蓋操作に応じて回動するキャップダンパーと、該キャップダンパーの回動に応じてエレベータ部を昇降せしめるエレベータリンクと、前記エレベータ部に組み付けられたプランジャーと、該プランジャーに当接されてライター本体の表面に突出するガステコ操作レバーとを備えたこと、延いては、前記エレベータ部が上昇する際、前記プランジャーの一端側がガステコ操作レバーに当接して同ガステコ操作レバーをライター本体の表面から強制的に突出せしめると共に、他端側がガス噴出ノズルの頸部に係合されたガステコの押込操作可能位置にまで変位されることによって、蓋体の開閉動作とガステコ操作レバーの出没動作とを無駄なく連動させることができるため、開蓋操作に応じて突出したガステコ操作レバーの押込操作（ガス噴出操作）と着火操作子の回動操作（着火操作）とをタイミング良く連動させない限り着火することができないなど、チャイルドレジスタントとしての安全性及び操作性にも優れるといった効果を奏する。
【００１１】
また、前記ガステコ操作レバーは、一端側を支点として他端側がライター本体の外へ突出するように開閉自在に軸着されると共に、ライター本体と面一に整合すべく常時、閉方向に付勢せしめることによって、ガステコ操作レバーが意に反してライター本体から飛び出てしまうといった危惧をも一掃することができる。
【００１２】
このように本考案のガスライターは、蓋を開けただけではガスが噴出しないため、無駄なガスの消費を防止できると共に、チャイルドレジスタントとしての安全性及び操作性にも優れ、また、構成が単純であるため、大量生産に適し価格も低廉なものとして需用者に供給できるなど、本考案を実施することはその実益的価値が甚だ大である。
【考案を実施するための最良の形態】
【００１３】
ガステコ操作手段を、蓋体の開蓋操作に応じて回動するキャップダンパーと、該キャップダンパーの回動に応じてエレベータ部を昇降せしめるエレベータリンクと、前記エレベータ部に組み付けられたプランジャーと、該プランジャーに当接されてライター本体の表面に突出するガステコ操作レバーとで構成する。また、前記プランジャーは、前記エレベータ部が上昇する際、一端側がガステコ操作レバーに当接して同ガステコ操作レバーをライター本体の表面から強制的に突出せしめると共に、他端側がガス噴出ノズルの頸部に係合されたガステコの押込操作可能位置にまで変位できるように組み付ける。
【実施例】
【００１４】
次に本考案の実施の一例を図面を参照しながら説明する。図中Ａは、本考案に係るジェットフリント式ガスライターであり、このガスライターＡは、図１若しくは図２に示すように、ライター本体１の頂面に開閉自在に被冠された蓋体２と、ヤスリ車３を回動させるための着火操作子４とを備えている。
【００１５】
ライター本体１は、ガスタンク１ａに連通すべくバルブ機構５が内設されている。このバルブ機構５は、頂部端面に開口（図示せず）を有する筒蓋状のノズル螺旋５ａと、該ノズル螺旋５ａの下方開口部に嵌合された有底筒状のノズル底栓体５４ｂとで内部に弁室（図示せず）を形成しているもので、この弁室内には、Ｏリング、スプリングを介してガス噴出ノズル５ｃが上端を前記ノズル螺旋５ａの開口より外方へ突出すべく装着されている。
【００１６】
また、前記ガス噴出ノズル５ｃの頚部には、上下に揺動自在に支持されたガステコ５ｄが係合されている。このガステコ５ｄは、後述するプランジャー１２ｄでの持ち上げ操作により前記ガス噴出ノズル５ｃの頚部が引出方向に動作されて弁が開きガスの噴出が始まるように組み付けられている。
【００１７】
一方、前記ガス噴出ノズル５ｃの上には、内燃機構６が組み付けされている。この内燃機構６は、ガス噴出ノズル５ｃの噴出口に封緘された整流器（ノズルプレート）６ａと、該整流器６ａを内設すべく前記ガス噴出ノズル４ｃの上端に被冠された混合管６ｂと、該混合管６ｂの上部に連設された拡散バーナ（拡散器）６ｃと、該拡散バーナ６ｃを内装すべく接合された燃焼筒６ｄとを備えており、斯かる混合管６ｂ、拡散バーナ６ｃ、燃焼筒６ｄを取付ホルダー７に支持せしめている。
【００１８】
前記整流器６ａは、中央に穿孔６ａ１ を有した筒蓋を呈しており、該筒蓋の中にプレート本体６ａ２ を備えて、ガス噴出ノズル５ｃから噴出される気化ガスの流速を更に加速せしめるものである。
【００１９】
また、前記混合管６ｂは、中空の筒体に成形されており、半径方向に複数の吸気孔６ｂ１ ，６ｂ１ が開口されている。この吸気孔６ｂ１ ，６ｂ１ は、前記整流器６ａの穿孔６ａ１ を通過する燃料ガスが流速を強めて噴出されることによって生ずる負圧を利用して空気を吸い込むもので、燃料ガスと空気との混合を促進せしめるものである。
【００２０】
更に、拡散バーナ６ｃは、混合管６ｂ側から流入してくる混合ガスを同拡散バーナ６ｃの頂面に当接して逆噴流を惹起せしめるように噴出路６ｃ１ を小孔に縮径させており、ガスの混合を更に促進させながら効果的に混合ガスを拡散せしめるものである。
【００２１】
更に、燃焼筒６ｄは、上下両端が開口した中空の筒体からなり、上端開口に前記拡散バーナ６ｃを固定すべく連結支持すると共に、図４に示すように、上端側が取付ホルダー７に組み付けられたヤスリ車３と連通するように形成されている。
【００２２】
また、斯かる燃焼筒６ｄの上位には、内蓋８が装着されている。この内蓋８は、前記取付ホルダー７に開閉自在に軸着されており、前記燃焼筒６ｄ及び拡散バーナ６ｃと整合する位置に炎孔８ａが穿設されている。
【００２３】
尚、内蓋８を閉蓋している時は、炎孔８ａが開口しているのみで、後述するヤスリ車３の取付部７ａ、火炎燃焼用の円孔７ｂ、発火石９等を目隠しできるようにライター本体１の頂面を被装するものである。
【００２４】
取付ホルダー７は、図４に示すように、一端側に内蓋７と蓋体（外蓋）２とを開閉自在に支持すると共に、他端側にヤスリ車３用の取付部７ａと火炎燃焼用の円孔７ｂとが凹設されている。
【００２５】
ヤスリ車３用の取付部７ａは、後述する発火石９から放たれる火花がガスに引火できるべく火炎燃焼の円孔７ｂに向けて連通するように区画されている。また、その周囲には、発火石９を収納する石収納部７ｃと、前記発火石９をヤスリ車３に向けて押し付けるバネ等の付勢部材７ｃとをコンパクトに付設している。
【００２６】
他方、ライター本体１の側面には、ガステコ操作レバー１０が装着されている。このガステコ操作レバー１０は、下端側に設けた支軸１０ａを支点として回動し、上端１０ｂ側がライター本体１の外へ突出するように開閉自在に軸着されると共に、ライター本体１と面一に整合すべくバネ１１を介して、常時、閉方向に付勢されている。
【００２７】
また、このガステコ操作レバー１０は、ガステコ操作手段１２を介して蓋体２の開閉と連動するように組み付けられている。すなわち、ガステコ操作手段１２は、蓋体２の開蓋操作に応じて回動すべく付勢されたキャップダンパー１２ａと、該キャップダンパー１２ａの回動に応じてエレベータ部１２ｂを昇降せしめるエレベータリンク１２ｃと、前記エレベータ部１２ｂに組み付けられたプランジャー１２ｄとを備えている。
【００２８】
また、プランジャー１２ｄは、前記エレベータ部１２ｂが上昇する際、一端側がガステコ操作レバー１０の内側に当接して同ガステコ操作レバー１０をライター本体１の表面から強制的に突出せしめるものであり、他端側はガス噴出ノズル５ｃの頸部を持ち上げるべくガステコ５ｄを押込操作せしめる押圧部材１２ｅを備えている。
【００２９】
このように構成される本考案のガスライターＡは、図８に示すように、ライター本体１を握持した手の親指で蓋体１を開蓋すれば、ガステコ操作レバー１０がライター本体１の表面がら飛び出るべく突出し、次いで、着火操作子４を回動操作させて発火石９を擦り上げると共に、このタイミングで前記ガステコ操作レバー１０を押し込むことにより（図９参照）、前記発火石９からの火花が発生すると共に、ガス噴出ノズル５ｃの頚部がガステコ５ｄを介してプランジャー１２ｄの押圧部材１２ｅにより引出方向に動作されて弁が開き、かつ、ガス噴出ノズル５ｃから噴出された気化ガスは、整流器６ａの封緘により更に流速を強めて噴出され、同時に斯かる流速で生ずる負圧作用を利用して混合管６ｂの吸気孔６ｂ１ から空気を吸い込み拡散バーナ６ｃへと噴射される。
【００３０】
次いで、噴射されたガスと空気の混合ガスは、拡散バーナ６ｃ内に当接して逆噴流を惹起せしめ、燃焼効率を向上すべく更に混合されながら天頂の前記噴出路６ｃ１ 並びに側面に開口された複数の拡散孔６ｃ２  を介して拡散されることとなり、その瞬間に前記発火石９の火花が引火してバーナー状に着火するのである。
【００３１】
また、着火後は、ガステコ操作ーレバー１０の押し込みを止めるだけで、ガスガスを完全に遮断できるものであり、炎が完全に消火していない状態が発生した場合でも、強制的に消火することができ、更に、蓋体２を閉蓋することにより、蛍火が発生しても完全に消火できるのである。因に、図中１３はガス注入口、１４は炎調整リングである。
【００３２】
尚、本考案のガスライターは本実施例に限定されることなく、本考案の目的の範囲内で自由に設計変更し得るものであり、本考案はそれらの全てを包摂するものである。例えば、本実施例ではフリント式のガスライターについてのみ説明しているが、これに限定されることなく、通常のピエゾ（圧電式）ガスライター等についても使用できることは云うまでもない。
【図面の簡単な説明】
【００３３】
【図１】本考案に係るガスライターの斜視図である。
【図２】同ガスライターの正面図である。
【図３】同ガスライターの開蓋状態を示す正面図である。
【図４】同ガスライターの開蓋状態を示す平面図である。
【図５】同ガスライターの右側面図である。
【図６】同ガスライターの左側面図である。
【図７】同ガスライターの閉蓋状態を示す縦断面図である。
【図８】同ガスライターの開蓋状態を示す縦断面図である。
【図９】ガステコ操作レバーを押し込んだ状態を示す縦断面図である。
【符号の説明】
【００３４】
１  ライター本体
１ａ  ガスタンク
２  蓋体
３  ヤスリ車
４  着火操作子
５  バルブ機構
５ａ  ノズル螺旋
５ｂ  ノズル底栓体
５ｃ  ガス噴出ノズル
５ｄ  ガステコ
６  内燃機構
６ａ  整流器
６ａ１ 穿孔
６ａ２ プレート本体
６ｂ  混合管
６ｂ１ 吸気孔
６ｃ  拡散バーナ
６ｃ１ 噴出路
６ｄ  燃焼筒
７  取付ホルダー
７ａ  取付部
７ｂ  円孔
７ｃ  付勢部材
８  内蓋
８ａ  炎孔
９  発火石
１０  ガステコ操作レバー
10ａ  支軸
10ｂ  上端
１１  バネ
１２  ガステコ操作手段
12ａ  キャップダンパー
12ｂ  エレベータ部
12ｃ  エレベータリンク
12ｄ  プランジャー
12ｅ  押圧部材
１３  ガス注入口
１４  炎調整リング
【図１】
0003126335.tif 000003
【図２】
0003126335.tif 000004
【図３】
0003126335.tif 000005
【図４】
0003126335.tif 000006
【図５】
0003126335.tif 000007
【図６】
0003126335.tif 000008
【図７】
0003126335.tif 000009
【図８】
0003126335.tif 000010
【図９】
0003126335.tif 000011